(57)【要約】【課題】親綱やガイドロープを屋根上に展開するために親綱や呼び線の先端に連結して用いられる先端ガイドボール及びこれを用いた親綱展開具を提供する。【解決手段】紐状体の先端を固定されて前記紐状体を屋根上に展開する先端ガイドボール１であって、ボール本体１０と、前記ボール本体１０を第１軸の周りに回転自在に保持する第１保持部２０と、前記第１保持部２０を前記第１軸Ｘと交差する第２軸Ｙの周りに回転自在に保持する第２保持部３０と、前記第２保持部３０に設けられて前記紐状体を連結可能な連結部３３とを具備する。【選択図】図１
0003202286.tif 000002
【実用新案登録請求の範囲】
【請求項１】
紐状体の先端を固定されて前記紐状体を屋根上に展開する先端ガイドボールであって、
ボール本体と、
前記ボール本体を第１軸の周りに回転自在に保持する第１保持部と、
前記第１保持部を前記第１軸と交差する第２軸の周りに回転自在に保持する第２保持部と、
前記第２保持部に設けられて前記紐状体を連結可能な連結部とを具備することを特徴とする先端ガイドボール。
【請求項２】
前記第１保持部は、前記ボール本体の中心を介して相対向する２箇所を通る直線を前記第１軸として前記２箇所に設けられた一対の支持軸と、前記一対の支持軸を回転自在に支持すると共に前記ボール本体の前記２箇所の間の外周まで延設される腕部とを具備し、前記第２保持部は、前記腕部に設けられて、前記腕部及び前記第１軸を含む平面内で前記第１軸に直交する方向を前記第２軸として当該第２軸の周りに回転自在に設けられていることを特徴とする請求項１に記載の先端ガイドボール。
【請求項３】
前記第１保持部の内側には、前記ボール本体との間に、前記紐状体とは別の第２の紐状体が連結可能な空間が設けられていることを特徴とする請求項１又は２に記載の先端ガイドボール。
【請求項４】
請求項１〜３の何れか一項に記載の先端ガイドボールと、前記先端ガイドボールの前記連結部に一端が連結された紐状体と、前記紐状体を支持する支持部を具備すると共に前記紐状体の一端に取り付けられた前記先端ガイドボールを前記支持部に支持して屋根の頂上まで運搬する操作棒とを具備することを特徴とする親綱展開具。
【考案の詳細な説明】
【技術分野】
【０００１】
本考案は、家屋の屋根に親綱を展開する親綱展開具に用いられる先端ガイドボール及びこれを用いた親綱展開具に関する。
【背景技術】
【０００２】
家屋の屋根上の作業者が転落することを防止するため、安全装置が設置される。この安全装置の一つとして、屋根の上に親綱が展開配置される方法がある。この親綱に作業者が着用したハーネス型安全帯や胴ベルト型安全帯に接続された命綱が連結される。作業者は、命綱が連結された状態で、作業を行う。これにより、作業者が転落することが防止される。この安全装置では、作業者が親綱を屋根の上に展開する必要があるが、この親綱を展開する作業では、転落を防止する措置が十分にとれない。
【０００３】
そこで、伸縮可能な操作棒を用いて、親綱を展開する方法が提案されている（特許文献１参照）。この操作棒が梯子に固定されている。この操作棒の先端が屋根の棟を超えた状態で、操作棒の先端から重錘を降下させてロープが屋根上に展開されている。このロープに親綱が連結される。ロープが引き戻される。これにより、親綱が屋根上に展開される。
【０００４】
また、特許文献１の方法では、梯子に登った状態でロープが展開されているので、作業者は、梯子から転落する恐れがある。地上からロープを展開するには、このロープの先端の重錘を投げ上げる必要があるが、投げ上げる方法では、確実にロープを展開することは困難である。送られるロープが、樋などに引っ掛かってしまう恐れがあり、また、重錘が屋根材を損傷する恐れがある。
【０００５】
そこで、筒体と、呼び線と、頭部としてのボールとを備えた親綱展開具を用い、ガイドロープとなる呼び線の先端に連結したボールを反対側に垂らした後、ボールに親綱を連結して呼び線を手繰り寄せて親綱を展開する方法が開示されている（特許文献２参照）。
【先行技術文献】
【特許文献】
【０００６】
【特許文献１】特開２００５−３２５５６２号公報
【特許文献２】特開２０１１−１７９２４１号公報
【考案の概要】
【考案が解決しようとする課題】
【０００７】
しかしながら、特許文献１や２の方法で、紐状体の先端に接続された錘やボールを屋根の上から下へ滑り落とそうとしても、屋根の上に凹凸があったり、抵抗があったりすると、錘やボールの進路が変更されて屋根の途中で引っ掛かったり、屋根の傾斜によっては傾斜の途中で止まってしまったりすることがあり、紐状体が屋根の上にとぐろを巻いてしまい、紐状体を反対側に垂らすことができないという問題がある。
【０００８】
本考案は上記実情に鑑みて提案されたものであり、親綱やガイドロープを屋根上に展開するために親綱や呼び線の先端に連結して用いられる先端ガイドボール及びこれを用いた親綱展開具を提供することを目的とする。
【課題を解決するための手段】
【０００９】
上記課題を解決するための本考案に係る先端ガイドボールの一態様は、紐状体の先端を固定されて前記紐状体を屋根上に展開する先端ガイドボールであって、ボール本体と、前記ボール本体を第１軸の周りに回転自在に保持する第１保持部と、前記第１保持部を前記第１軸と交差する第２軸の周りに回転自在に保持する第２保持部と、前記第２保持部に設けられて前記紐状体を連結可能な連結部とを具備することを特徴とする。
【００１０】
上記先端ガイドボールの一態様によれば、前記紐状体を連結した状態としてもボール本体は二軸方向に回転自在となるので、屋根の上に凹凸や抵抗があっても、自重により屋根上をほぼ真っ直ぐ転がり落ち、紐状体を屋根上に容易に展開できる。
【００１１】
また、前記第１保持部は、前記ボール本体の中心を介して相対向する２箇所を通る直線を前記第１軸として前記２箇所に設けられた一対の支持軸と、前記一対の支持軸を回転自在に支持すると共に前記ボール本体の前記２箇所の間の外周まで延設される腕部とを具備し、前記第２保持部は、前記腕部に設けられて、前記腕部及び前記第１軸を含む平面内で前記第１軸に直交する方向を前記第２軸として当該第２軸の周りに回転自在に設けられていることが好ましい。
【００１２】
これによれば、ボール本体は、前記紐状体を第２保持部に連結した状態としても、第１保持部は第２保持部に対して回転自在であり、ボール本体は第２保持部の回転軸に交差する回転軸周りに回転自在であり、屋根の上に凹凸や抵抗があっても、自重により屋根上をほぼ真っ直ぐ転がり落ち、紐状体を屋根上に容易に展開できる。
【００１３】
また、前記第１保持部の内側には、前記ボール本体との間に、前記紐状体とは別の第２の紐状体が連結可能な空間が設けられていることが好ましい。
【００１４】
これによれば、先端ガイドボールを屋根の一方側から他方側に転がり落とした後、第１保持部とボール本体との間の空間にある第１保持部の内側に他の紐状体をテープ等で連結し、前記第２保持部に連結された紐状体を一方側から引っ張ると、他の紐状体を屋根上に展開することができる。
【００１５】
本考案に係る親綱展開具は、上記態様の１〜３の何れかの先端ガイドボールと、前記先端ガイドボールの前記連結部に一端が連結された紐状体と、前記紐状体を支持する支持部を具備すると共に前記紐状体の一端に取り付けられた前記先端ガイドボールを前記支持部に支持して屋根の頂上まで運搬する操作棒とを具備することを特徴とする親綱展開具にある。
【００１６】
上記親綱展開具の一態様によれば、前記紐状体を連結した状態としてもボール本体は二軸方向に回転自在となるので、屋根の上に凹凸や抵抗があっても、自重により屋根上をほぼ真っ直ぐ転がり落ち、紐状体を屋根上に容易に展開できる。これにより、紐状体を親綱とすれば親綱を屋根上に展開でき、また、紐状体をガイドロープとし、屋根上に展開したガイドロープに親綱を連結すれば、親綱を容易に屋根上に展開できる。
【考案の効果】
【００１７】
本考案によれば、親綱展開方法の何れを採用しても、紐状体を容易に屋根上に展開でき、比較的容易に親綱を屋根上に展開することができる。
【図面の簡単な説明】
【００１８】
【図１】一実施形態に係る先端ガイドボールの斜視図である。
【図２】一実施形態に係る先端ガイドボールの平面図である。
【図３】一実施形態に係る先端ガイドボールの側面図である。
【図４】一実施形態に係る先端ガイドボール部分拡大図である。
【図５】一実施形態に係る親綱展開具を示す平面図である。
【図６】一実施形態に係る親綱展開具を用いた親綱展開方法を説明する図である。
【図７】一実施形態に係る親綱展開具への親綱の連結状態示す図である。
【図８】一実施形態に係る親綱展開具を用いた親綱展開方法を説明する図である。
【考案を実施するための形態】
【００１９】
以下、図面を参照して本考案の実施形態を説明する。以下の説明は、本考案の一態様を示すものであって、本考案の要旨を逸脱しない範囲内で任意に変更可能である。なお、各図において同じ符号を付したものは同一の部材を示しており、適宜説明が省略されている。
【００２０】
図１は、一実施形態に係る先端ガイドボールの斜視図、図２は、平面図、図３は、側面図、図４は、部分拡大図である。これらの図面に示すように、先端ガイドボール１は、ボール本体１０と、これを回転自在に支持する第１支持部２０と、第１支持部２０を回転自在に支持する第２支持部３０とを具備する。
【００２１】
ボール本体１０は、屋根の突起に引っ掛かり難く、屋根の傾斜に沿って真っ直ぐ転がり落ち易いものがよいので、表面が滑らかで、ある程度重量があり、屋根などに傷を付け難いものがよく、ポリ塩化ビニル（ＰＶＣ）などの樹脂製の空気入りボール、樹脂製ボール、ゴム製ボールなどが例示される。
【００２２】
また、本実施形態では、第１支持部２０とボール本体１０との間に、後述するように親綱などを連結するための空間が設けられている。
【００２３】
第１支持部２０は、ボール本体１０の中心を介して対向する２カ所に設けられた一対の支持軸２１と、これら一対の支持軸２１をそれぞれ回転自在に支持する一対の腕部２２とを具備し、ボール本体１０を、支持軸２１を結ぶ第１軸Ｘを中心として回転自在に支持する。一対の腕部２２のそれぞれには、先端部に支持軸２１を挿通して回転自在に支持する貫通孔２３を有し、腕部２２はボール本体１０に沿って延設され基端部２４で連結されている。ボール本体１０と基端部２４との間には、ある程度のスペースを有するようにし、その間に後述する紐状体などが絡まってボール本体１０の回転が規制されないようにするのが好ましい。
【００２４】
なお、第１支持部２０の構成は上述したものに限定されず、ボール本体１０を回転自在にするものであればよく、例えば、支持軸２１がボール本体１０を貫通するようにして、ボール本体１０を貫通する支持軸２１に対して回転自在になるように保持してもよい。
【００２５】
第１支持部２０の基端部２４には、第２支持部３０が回転自在に設けられている。第２支持部３０は、後述する紐状体を連結する連結部材３１と連結部材３１に締結されるボルト３２とを具備し、ボルト３２は基端部２４に設けられた貫通孔２５を貫通して連結部材３１に締結固定されている。これにより、連結部材３１は、基端部２４のボール本体１０とは反対側である外側に設けられ、連結部材３１は、ボルト３２を中心軸として第１支持部２０の基端部２４に対して回転自在となっており、この回転軸は、ボール本体１０の中心を通り、第１軸Ｘと直交する第２軸Ｙとなっている。
【００２６】
また、連結部材３１の外側には、ネジ穴である連結部３３が設けられており、後述するように紐状体が連結できるようになっている。
【００２７】
以上の構成により、紐状体を連結できる連結部材３１を基準とすると、第１支持部２０及びボール本体１０は、第２軸Ｙを中心として回転自在となり、且つボール本体１０は、第２軸Ｙに直交する第１軸Ｘを中心として第１支持部２０に対して回転自在となり、ボール本体１０は、連結部材３１を基準として二軸を中心として回転自在となっている。
【００２８】
図５には、上述した先端ガイドボール１を用いた親綱展開具の一例を示す。
図５に示すように、先端ガイドボール１の連結部材３１の連結部３３（図１〜図４参照）には、紐状体４１の一端に設けられた図示しない固定ネジが締結されており、紐状体４１は操作棒４２の先端に支持され、繰り出し可能となっている。操作棒４２は、本実施形態では伸縮可能なものになっているが、家屋の下から屋根の頂上まで届くもの又は家屋に立てかけた梯子の上から屋根の頂上まで届くものであればよい。
【００２９】
なお、紐状体４１は、採用する親綱展開方法によっても異なるが、親綱自体であってもよく、又は親綱を展開するために用いる、親綱より剛性の高いワイヤー状のパイロットラインであってもよく、本実施形態では、パイロットラインとした。また、親綱より細いガイドロープであってもよい。
【００３０】
図６及び図７には、図５の親綱展開具を用いた親綱展開の手順を示す。これらの図面に示すように、まず、操作棒４２を操作して先端ガイドボール１を家屋５０の屋根５１の頂上上方まで運び、手前の傾斜面５２ではなく、向こう側の傾斜面５３上に先端ガイドボール１を載置する（図６（ａ）、（ｂ））。これにより、先端ガイドボール１は、傾斜面５３を転がり落ち、これに応じて紐状体４１を繰り出せば、先端ガイドボール１は家屋５０の反対側に落ちる。
【００３１】
このとき、先端ガイドボール１は、上述したとおり、二軸周りに回転自在となるボール本体１０を有しているので、屋根５１の突起などに引っ掛かり難く、屋根５１の傾斜に沿って真っ直ぐ転がり落ちるものである。これにより、紐状体４１を家屋５０の一方側から屋根５１を超えて他方側まで展開できる（図６（ｃ））。
【００３２】
なお、紐状体４１が親綱であれば、これで作業は終了であるが、パイロットラインの場合には、展開されたパイロットラインの一端に親綱４３を連結してパイロットラインを介して親綱を引っ張ることにより、親綱を展開することができる。
【００３３】
また、上述した親綱４３とパイロットラインの連結部が引っかかる場合は、先端ガイドボール１の第１支持部２０とボール本体１０との間は、親綱４３を連結するための空間が設けられているので、これを用いて第１支持部２０の内側に親綱をテープ等で連結し展開することができる。
【００３４】
この状態を図７に示す。図７に示すように、第１支持部２０の内側に、親綱４３の端部をテープで固定した。これにより、親綱４３の端部を連結したことにより凹凸は、第１支持部２０の内側に存在し、外側には影響しないので、親綱４３を手繰り寄せる作業を阻害することがない。
【００３５】
この作業は図８に示すように、まず、展開された紐状体４１の先端に連結された先端ガイドボール１の第１支持部の内側に親綱４３の一端をテープ等で連結する（図８（ａ））。この状態で、紐状体４１を操作棒４２側からたぐり寄せることにより、親綱４３を家屋５０の向こう側から屋根５１を越えて操作棒４２側まで展開することができる（図８（ｂ）、（ｃ））。
【００３６】
また、本実施形態では、第１支持部２０の支持軸２１から連結部材３１の連結部３３までが、突起等のない滑らかなラインを設けており、紐状体４１を操作棒４２側からたぐり寄せる際に、引っかかることがない（図８（ｄ）、（ｅ））。
【符号の説明】
【００３７】
１  先端ガイドボール、  １０  ボール本体、  ２０  第１支持部、  ２１  支持軸、２２  腕部、  ２３  貫通孔、  ２４  基端部、  ２５  貫通孔、  ３０  第２支持部、  ３１  連結部材、  ３２  ボルト、  ３３  連結部、  ４１  紐状体、  ４２  操作棒、  ４３  親綱
【図１】
0003202286.tif 000003
【図２】
0003202286.tif 000004
【図３】
0003202286.tif 000005
【図４】
0003202286.tif 000006
【図５】
0003202286.tif 000007
【図６】
0003202286.tif 000008
【図７】
0003202286.tif 000009
【図８】
0003202286.tif 000010